(57)【要約】【課題】  取り扱われる装置の操作マニュアルのうちの必要な部分をユーザに選択させて、印刷物として、又は画面表示によってユーザに提供することができる画像処理装置及び画像処理方法並びにプログラムを提供する。【解決手段】  画像処理装置は、装置の操作機能の説明を表示可能な表示画面、自装置の操作マニュアルの文書データを保持する第１の保持手段、及び、操作マニュアルに含まれる複数の項目と各項目に対応する操作マニュアル内のページとを対応づけたテーブルを保持する。ここで、操作マニュアルに含まれる各項目のリストを表示画面に表示し、表示されたリストから任意の項目を選択して印刷を指示する。これにより、選択された項目に対応する操作マニュアル内のページをテーブルを用いて特定し、特定されたページを印刷範囲として設定し、設定された印刷範囲に相当する操作マニュアルのページを印刷する。【選択図】  図１４
2007122279.tif 000002
【特許請求の範囲】
【請求項１】
自装置の操作機能の説明を表示可能な表示画面を備える画像処理装置であって、
自装置の操作マニュアルの文書データを保持する第１の保持手段と、
前記操作マニュアルに含まれる複数の項目と各項目に対応する前記操作マニュアル内のページとを対応づけたテーブルを保持する第２の保持手段と、
前記操作マニュアルに含まれる各項目のリストを前記表示画面に表示する表示手段と、
前記表示画面に表示された前記リストから任意の項目を選択して印刷を指示する指示手段と、
選択された前記項目に対応する前記操作マニュアル内のページを前記テーブルを用いて特定し、特定された前記ページを印刷範囲として設定する設定手段と、
前記設定手段によって設定された印刷範囲に相当する前記操作マニュアルのページを印刷する印刷手段と
を備えることを特徴とする画像処理装置。
【請求項２】
前記第２の保持手段は、前記画像処理装置が備える複数の操作機能ごとにカテゴリに区分され、各カテゴリごとの複数の項目と、各項目に対応する前記操作マニュアル内のページとを対応づけたテーブルを保持することを特徴とする請求項１に記載の画像処理装置。
【請求項３】
前記表示手段が、前記操作マニュアルの文書データを前記表示画面に表示することを特徴とする請求項１又は２に記載の画像処理装置。
【請求項４】
前記第１の保持手段が、前記操作マニュアルの文書データをＰＤＦ形式のファイルとして保持することを特徴とする請求項１から３までのいずれか１項に記載の画像処理装置。
【請求項５】
複数の印刷モードの中から任意の印刷モードの設定を行うモード設定手段をさらに備え、
前記印刷指示があった場合に、前記印刷手段は、設定された前記印刷モードに基づいて前記ページの印刷を行うことを特徴とする請求項１から４までのいずれか１項に記載の画像処理装置。
【請求項６】
前記第２の保持手段が保持する前記テーブルには、前記表示画面上に表示される自装置の操作機能の説明を特定するための識別番号と、該操作機能の説明が記載されている前記操作マニュアル内のページとがさらに対応付けられており、
前記指示手段は、前記操作機能の説明が表示される前記表示画面で表示中の操作機能に関する前記操作マニュアルの部分のページの印刷を指示し、
前記設定手段は、前記の指示によって、前記表示画面に表示中の操作機能の説明を特定する識別番号に対応する前記操作マニュアル内のページを前記テーブルを用いて特定し、特定された前記ページを印刷範囲として設定する
ことを特徴とする請求項１から５までのいずれか１項に記載の画像処理装置。
【請求項７】
自装置の操作機能の説明を表示可能な表示画面と、自装置の操作マニュアルの文書データを保持する第１の保持手段と、前記操作マニュアルに含まれる複数の項目と各項目に対応する前記操作マニュアル内のページとを対応づけたテーブルを保持する第２の保持手段とを備える画像処理装置の画像処理方法であって、
前記操作マニュアルに含まれる各項目のリストを前記表示画面に表示する表示工程と、
前記表示画面に表示された前記リストから任意の項目を選択して印刷を指示する指示工程と、
選択された前記項目に対応する前記操作マニュアル内のページを前記テーブルを用いて特定し、特定された前記ページを印刷範囲として設定する設定工程と、
前記設定工程によって設定された印刷範囲に相当する前記操作マニュアルのページを印刷する印刷工程と
を有することを特徴とする画像処理方法。
【請求項８】
自装置の操作機能の説明を表示可能な表示画面と、自装置の操作マニュアルの文書データを保持する第１の保持手段と、前記操作マニュアルに含まれる複数の項目と各項目に対応する前記操作マニュアル内のページとを対応づけたテーブルを保持する第２の保持手段とを備える画像処理装置に、
前記操作マニュアルに含まれる各項目のリストを前記表示画面に表示させる表示手順と、
前記表示画面に表示された前記リストから任意の項目を選択して印刷を指示させる指示手順と、
選択された前記項目に対応する前記操作マニュアル内のページを前記テーブルを用いて特定し、特定された前記ページを印刷範囲として設定させる設定手順と、
前記設定工程によって設定された印刷範囲に相当する前記操作マニュアルのページを印刷させる印刷手順と
を実行させるためのプログラム。
【発明の詳細な説明】
【技術分野】
【０００１】
本発明は、デジタル複合複写機等の操作マニュアルの印刷及び画面表示を行う画像処理装置及び画像処理方法並びにプログラムに関する。
【背景技術】
【０００２】
近年のデジタル複合複写機は、コピー、印刷、ＦＡＸ、送信、インターネットとの連携機能等、豊富な機能が盛り込まれているため、それらの操作を説明するための冊子として提供される操作マニュアルの分量は膨大な量になってきている。また、デジタル複合複写機の操作画面において、上記機能に関する説明を表示するガイド機能があるが、当該機器内で使用できるメモリ量の制限等により、簡略化した説明表示にならざるを得ず、豊富な機能について十分に説明がされていない。
【０００３】
このため、ある機能についてユーザが調べる場合に、操作マニュアルの冊子を参照して、膨大な量の中から必要な機能を時間をかけて探していた。また、操作マニュアルの冊子が分冊になっている場合には、装置の近くに必要な冊子がなかったり、そもそも装置の近くには冊子を置くスペースがなかったりして、ユーザが必要な機能について迅速に調べることができないことがあった。一方、操作画面にガイド機能を表示する場合は、表示される説明内容が不十分であったので、ガイド画面を見ただけでは、その機能を十分には使いこなせない場合があった。
【０００４】
このような状況を改善するために、操作マニュアルをデータ化したものを装置内のハードディスクに格納し、操作部で操作して閲覧したり、データ化した操作マニュアルを外部のサーバから配信して操作部で操作することで閲覧できるようにしていた。このようにすることで、ユーザは、操作マニュアルの冊子そのものを必要とせず、装置を前にして迅速かつ具体的に十分な内容を伴った操作マニュアルを参照することが可能である。また、近年では、デジタル複合複写機の操作部が大画面化してきており、そこに表示される操作マニュアルの視認性も良くなってきている。
【０００５】
さらに、特開２００２−３１６４６６号公報（特許文献１）には、ヘルプ画面の説明に関する詳細説明を印刷することが開示されている。
【特許文献１】特開２００２−３１６４６６号公報
【発明の開示】
【発明が解決しようとする課題】
【０００６】
しかしながら、装置を前にして、当該装置の操作部の画面上に表示された操作マニュアルを閲覧することは、機能に関する説明を逆にゆっくり読みたいときや、装置以外の場所で読みたいという要望に応えられない。また、表示されたガイド画面に表示された内容だけでは、その機能の全体を捉えることが難しい場合があり、その機能について関連する内容も同時に確認できた方が好ましい場合がある。
【０００７】
本発明は、このような事情を考慮してなされたものであり、次のような画像処理装置及び画像処理方法並びにプログラムを提供することを目的とする。すなわち、取り扱われる装置の操作マニュアルのうちの必要な部分（例えば、ある機能に関する説明されている章やページ等）をユーザに選択させて、印刷物として、又は画面表示によってユーザに提供することができるようにする。
【課題を解決するための手段】
【０００８】
上記課題を解決するために、本発明は、自装置の操作機能の説明を表示可能な表示画面を備える画像処理装置であって、
自装置の操作マニュアルの文書データを保持する第１の保持手段と、
前記操作マニュアルに含まれる複数の項目と各項目に対応する前記操作マニュアル内のページとを対応づけたテーブルを保持する第２の保持手段と、
前記操作マニュアルに含まれる各項目のリストを前記表示画面に表示する表示手段と、
前記表示画面に表示された前記リストから任意の項目を選択して印刷を指示する指示手段と、
選択された前記項目に対応する前記操作マニュアル内のページを前記テーブルを用いて特定し、特定された前記ページを印刷範囲として設定する設定手段と、
前記設定手段によって設定された印刷範囲に相当する前記操作マニュアルのページを印刷する印刷手段と
を備えることを特徴とする。
【０００９】
また、上記課題を解決するために、本発明は、自装置の操作機能の説明を表示可能な表示画面と、自装置の操作マニュアルの文書データを保持する第１の保持手段と、前記操作マニュアルに含まれる複数の項目と各項目に対応する前記操作マニュアル内のページとを対応づけたテーブルを保持する第２の保持手段とを備える画像処理装置の画像処理方法であって、
前記操作マニュアルに含まれる各項目のリストを前記表示画面に表示する表示工程と、
前記表示画面に表示された前記リストから任意の項目を選択して印刷を指示する指示工程と、
選択された前記項目に対応する前記操作マニュアル内のページを前記テーブルを用いて特定し、特定された前記ページを印刷範囲として設定する設定工程と、
前記設定工程によって設定された印刷範囲に相当する前記操作マニュアルのページを印刷する印刷工程と
を有することを特徴とする。
【００１０】
さらに、上記課題を解決するために、本発明に係るプログラムは、
自装置の操作機能の説明を表示可能な表示画面と、自装置の操作マニュアルの文書データを保持する第１の保持手段と、前記操作マニュアルに含まれる複数の項目と各項目に対応する前記操作マニュアル内のページとを対応づけたテーブルを保持する第２の保持手段とを備える画像処理装置に、
前記操作マニュアルに含まれる各項目のリストを前記表示画面に表示させる表示手順と、
前記表示画面に表示された前記リストから任意の項目を選択して印刷を指示させる指示手順と、
選択された前記項目に対応する前記操作マニュアル内のページを前記テーブルを用いて特定し、特定された前記ページを印刷範囲として設定させる設定手順と、
前記設定工程によって設定された印刷範囲に相当する前記操作マニュアルのページを印刷させる印刷手順と
を実行させることを特徴とする。
【発明の効果】
【００１１】
本発明によれば、取り扱われる装置の操作マニュアルのうちの必要な部分（例えば、ある機能に関する説明されている章やページ等）をユーザに選択させて、印刷物として、又は画面表示によってユーザに提供することができる。
【発明を実施するための最良の形態】
【００１２】
以下、図面を参照して、本発明の一実施形態について詳細に説明する。
【００１３】
＜画像入出力システム１００の構成＞
図１は、本発明の一実施形態に係る画像入出力システムの全体構成を示すブロック図である。図１に示すように、画像入出力システム１００は、リーダー装置（リーダー部）２００と制御装置（コントローラ部）１１０とプリンタ装置（プリンタ部）３００とを備える。
【００１４】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とを備える。
【００１５】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０を備える。
【００１６】
制御装置１１０は、リーダー部２００及びプリンタ部３００と電気的に接続され、さらにネットワーク４００を介して、ホストコンピュータ４０１、４０２に接続している。制御装置１１０は、リーダー部２００を制御して、原稿の画像データを読み込み、プリンタ部３００を制御して画像データを記録用紙に出力してコピー機能を提供する。また、制御装置１１０は、リーダー部２００から読み取った画像データを、コードデータに変換し、ネットワーク４００を介してホストコンピュータへ送信するスキャナ機能を提供する。さらに、制御装置１１０は、ホストコンピュータ４０１、４０２からネットワーク４００を介して受信したコードデータを画像データに変換し、プリンタ部３００に出力するプリンタ機能を提供する。
【００１７】
操作部１８０は、制御装置１１０に接続され、液晶タッチパネル等で構成されており、画像入出力システム１００を操作するためのユーザＩ／Ｆをユーザに提供する。
【００１８】
＜制御装置１１０＞
図３は、画像入出力システム１００の制御装置１１０の機能を説明するためのブロック図である。
【００１９】
図３に示すメインコントローラ１１１にはＣＰＵ、レンダリング部、メモリコントローラ、シリアル通信制御部、シリアルバス制御部が含まれている。ＣＰＵは、制御装置１１０全体の動作を制御するものであり、メモリ（Ｍｅｍｏｒｙ）１２１に格納されたプログラムに基づいて動作する。また、ホストコンピュータ４０１等から受信したＰＤＬ（ページ記述言語）コードデータを解釈し、ラスターイメージデータに展開する動作も、このプログラムに記述されている。そして、コードデータの解釈がＣＰＵで行われ、ラスターイメージデータの展開がレンダリング部で処理される。レンダリング部では、ＣＰＵで作成されたコードデータに基づいてラスターイメージデータを作成し、メモリ１２１1や、プリンタ画像処理部１５１に展開後のラスターデータを転送する。レンダリング部で作成されるイメージデータの色空間はＲＧＢ、ＣＭＹＫが挙げられる。
【００２０】
同様に、ホストコンピュータ４０１等から受信したＰＤＦファイルや、ハードディスク１３２内に格納されているＰＤＦファイルを解釈し、ラスターイメージデータに展開する動作も、このプログラムに記述されている。そして、コードデータの解釈はＣＰＵで行われ、ラスターイメージデータの展開はレンダリング部で処理される。ＰＤＦファイルは、印刷するページ範囲を指定して印刷することが可能になっている。レンダリング部では、ＣＰＵで作成されたコードデータに基づいてラスターイメージデータを作成し、メモリ１２１や、プリンタ画像処理部１５１に展開後のラスターデータを転送する。
【００２１】
シリアル通信制御部は、プリンタ部３００のＣＰＵとシリアルバスを介して制御コマンドを送受信して通信を行う。シリアルバス制御部では、ホストコンピュータ４０１等との通信、各種デバイスとの通信がコネクタ１２２を介して行われる。シリアルバスとしては一般的にＵＳＢが挙げられ、ホストコンピュータ４０１等からＰＤＬデータを受信するＩ／Ｆとして用いられる。
【００２２】
コネクタ１２３にはシリアルバスが接続され、リーダコントローラ部２２２との通信や、画像データの転送に用いられる。
【００２３】
ブートＲＯＭ（ＢｏｏｔＲＯＭ）１２４は、ＣＰＵが起動するプログラムが格納されており、また場合によってはＰＤＬ用のフォントデータが格納される。
【００２４】
汎用高速バス１３０には、拡張ボードを接続するための拡張コネクタ１３５とＩ／Ｏ制御部１３６、ＨＤコントローラ１３１、音声出力部１３３が接続される。汎用高速バスとしては、一般的にＰＣＩバスが挙げられる。
【００２５】
ＨＤコントローラ１３１は、外部記憶装置を接続するためのものである。本実施形態においては、このＩ／Ｆを介してハードディスクドライブ１３２を接続している。ハードディスク１３２は、プログラムを格納したり、画像データを記憶するのに用いられる。
【００２６】
Ｉ／Ｏ制御コントローラ１３６は、データバス１９１の制御を行い、ポートや割り込みの制御を行う。また、Ｉ／Ｏ制御コントローラ１３６にはＣＰＵ１３７が搭載されている。そして、ポート制御部１３８の制御やネットワークコントローラ（Ｎｅｔｗｏｒｋ Ｃｏｎｔｏｒｌｌｅｒ）１４０、操作部Ｉ／Ｆ１４５を介して、操作部１８０との通信、モデム（Ｍｏｄｅｍ）１４６との通信等を制御する。
【００２７】
ネットワークコントローラ１８０は、外部ネットワーク１４７と接続される。ネットワークとしては一般的にイーサネット（登録商標）が挙げられ、ホストコンピュータ４０１等からのＰＤＬデータ受信や、スキャナ画像の送信、リモート管理等に用いられる。
【００２８】
モデム１４６は公衆回線１４９に接続され、ＦＡＸの通信を行う。
【００２９】
メモリ１３９は、ＣＰＵ１３７のワーク用メモリ、操作部１８０に表示する画像データのワーク用メモリ等に用いられる。
【００３０】
音声出力部１３３は、音声信号を出力するためのものであり、汎用高速バス１３０から入力されたデータに基づいてスピーカ１３４に信号を出力する。
【００３１】
操作部Ｉ／Ｆ１４５は、操作部１８０の液晶画面に表示を行うためのＩ／Ｆと、ハードキーやタッチパネルキーの入力を行うためのキー入力Ｉ／Ｆとから構成される。
【００３２】
操作部１８０は、液晶表示部と、液晶表示部上に張り付けられたタッチパネル入力装置と、複数個のハードキーを有する。タッチパネル又はハードキーにより入力された信号は、前述した操作部Ｉ／Ｆ１４５を介して入力されたハードキーのＩＤ番号と入力されたタッチパネルの座標情報として、ＣＰＵ１３７に伝えられる。液晶表示部は、操作部Ｉ／Ｆ１４５から送られてきた画像データを表示する。液晶表示部には、画像入出力システム１００の操作時等における機能表示や画像データ等を表示する。
【００３３】
ＦＡＮ１４８は、Ｉ／Ｏ制御コントローラ１３６に接続され、コントローラ部（制御装置）１１０を冷却するために用いられる。
【００３４】
ＳＲＡＭ１４１は、バックアック用電池１４４でバックアップされており、ユーザモード、各種設定情報、ハードディスクドライブ１３２のファイル管理情報等を蓄積している。
【００３５】
リアルタイムクロックモジュール１４３は、機器内で管理する日付と時刻を更新／保存するためのものであり、バックアップ電池１４４によってバックアップされている。
【００３６】
プリンタ画像処理部１５１は、カスタムバス１２５と高速バス１５０でメインコントローラ１１１と接続されている。高速バス１５０は、片方向通信でリング状に接続されている。また、プリンタ画像処理部１５１は、コネクタ１８１を介してプリンタ部３００と接続され、メインコントローラ１１１から入力された画像データに所定の画像処理を施して、メインコントローラ１１１又はプリンタ部３００へ出力する機能を有する。尚、メモリ１５２は、プリンタ画像処理１５１のワーク領域及び遅延バッファとして使用される。
【００３７】
＜リーダー部２００とプリンタ部３００＞
図２は、画像入出力システムにおけるリーダー部２００とプリンタ部３００の構成を示す断面図である。図２に示すように、リーダー部２００とプリンタ部３００とは一体的に構成されている。リーダー部２００は、原稿給紙ユニット２５０を搭載する。原稿給紙ユニット２５０は、原稿を先頭から順に１枚ずつプラテンガラス２１１上へ給送し、各原稿の読み取り動作が終了する毎に、その原稿をプラテンガラス２１１から排出トレイに排出する。リーダー部２００は、原稿がプラテンガラス２１１上に給送されると、ランプ２１２を点灯し、移動ユニット２１３の移動を開始する。この移動ユニット２１３の移動により、プラテンガラス２１１上の原稿に対する読み取り走査が行われる。この読み取り走査中、原稿からの反射光は、各ミラー２１４、２１５、２１６及びレンズ２１７を経てＣＣＤイメージセンサ（以下、「ＣＣＤ」という。）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置に入力される。
【００３８】
プリンタ部３００は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１、３１２から記録紙が搬送路を介して、感光ドラム３２３と転写部３２５との間に給紙され、感光ドラム３２３上のトナー像は、転写部３２５により給紙された記録紙上に転写される。
【００３９】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３７０に排紙される。排紙ユニット３７０は、ソート、ステイプル等の後処理を施すことが可能なシート処理装置からなる。
【００４０】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００４１】
＜操作部１８０の概要＞
図４は、操作部１８０の全体構成を示す概観図である。ＬＣＤ表示部３００１は、ＬＣＤ上にタッチパネルシートが貼られており、システムの操作画面を表示するとともに、表示してあるキーが押されるとその位置情報をコントローラＣＰＵに伝える。スタートキー３００２は、原稿画像の読み取り動作を開始する時等に用いる。スタートキー３００２の中央部には、緑と赤の２色ＬＥＤがあり、その色によってスタートキーが使える状態にあるかどうかを示す。ストップキー３００３は、稼働中の動作を止める働きをする。ハードキー群３００６には、テンキー、クリアキー、リセットキー、ガイドキー、ユーザモードキー、ＩＤキーが設けられている。ＩＤキーは、使用者のユーザＩＤを入力するときに用いられる。リセットキーは、操作部１８０からの設定を初期化するときに用いる。
【００４２】
＜操作画面＞
本実施形態で説明するシステムが提供する機能は、図５に示すようにＣｏｐｙ／Ｓｅｎｄ／ＢＯＸ／Ｒｅｍｏｔｅ ｓｃａｎの４つの大きなカテゴリに分かれている。これらは、操作画面３０１０上の上部に表示される４つのメインタブ（ＣＯＰＹ／ＳＥＮＤ／ＢＯＸ／ＲＥＭＯＴＥ ＳＣＡＮ）３０１１〜３０１４に対応している。これらのメインタブを押すことにより、各カテゴリーの画面への切り替えが行われる。
【００４３】
ＣＯＰＹは自機が有するスキャナとプリンタを使用して通常のドキュメント複写を行う。Ｓｅｎｄは自機が有するスキャナに置かれたドキュメントを、電子メール、ファクス、ファイル転送、ＢＯＸ保存及びデータベースに転送する機能であり、宛先を複数指定することが可能である。ＢＯＸはスキャナ読み込み、ＦＡＸ受信、ＰＤＬ展開したドキュメントを自機が有するハードディスクに保存する機能であり、印刷、送信することが可能である。Ｒｅｍｏｔｅ ｓｃａｎはオンラインでｐｕｌｌ ｓｃａｎを行う。
【００４４】
操作画面に表示されたボタン及びハードキー群には各々にユニークなキーＩＤが割り振られ、キー入力を受け付けると、各キーＩＤ情報を基にして画面切替えや設定等の処理が行われる。
【００４５】
以下、これらの機能設定を行う方法をＬＣＤ画面表示の例を使用して説明する。
【００４６】
［ＣＯＰＹ画面］
図５は、ＣＯＰＹ画面の一例を示す図である。ＣＯＰＹ画面表示時にスタートボタンを押すと、スキャナが動作し、選択されているプリンタから画面上に表示されている各設定パラメータに応じた複写物が出力される。
【００４７】
ＣＯＰＹメイン画面３１００は、図５に示すように、Ｉｍａｇｅ Ｑｕａｌｉｔｙ選択表示ボタン３１０５、コピーパラメータ表示３１０１、拡大縮小設定ボタン３１０６、３１０７を備える。ＣＯＰＹメイン画面３１００は、さらに、紙選択ボタン３１０８、ソータ設定ボタン３１１０、両面コピー設定ボタン３１１２、濃度インジケータ及び濃度設定ボタン３１０９、応用モード設定ボタン３１１５を備える。
【００４８】
Ｉｍａｇｅ Ｑｕａｌｉｔｙ設定ボタン３１０５を選択すると、Ｉｍａｇｅ Ｑｕａｌｉｔｙ一覧が表示され、その中から所望のＩｍａｇｅ Ｑｕａｌｉｔｙを選択することができる。また、上述したコピーパラメータ設定ボタンを選択すると、それぞれに対応した設定を行うためのサブ画面（拡大縮小設定、紙選択、ソータ設定、両面コピー設定）が表示され、パラメータを設定することができる。また、濃度設定ボタン３１０９で濃度設定をすることができる。応用モード設定ボタン３１１５を選択すると、図６に示すようなページ連写や縮小レイアウト等の機能設定ボタンを表示する。図６は、ＣＯＰＹ画面の別の例を示す図である。これらの機能設定ボタンを選択すると、それぞれに対応したサブ画面が表示され、パラメータを設定することができる。
【００４９】
［ＳＥＮＤ画面］
図７は、ＳＥＮＤ画面の一例を示す図である。ＳＥＮＤ画面表示時にスタートボタンが押されると、スキャナが動作し、読み取った画像データを設定された宛先に指定された送信方法で送信する処理が開始される。
【００５０】
ＳＥＮＤメイン画面３２００は、宛先表示領域３２０２、宛先スクロールボタン３２０４、アドレスブックボタン３２０８、送信方法選択ボタン３２７１〜３２７５、Ｅｄｉｔボタン３２１０、Ｄｅｌｅｔｅボタン３２１１を有する。ＳＥＮＤメイン画面３２００は、さらに、送信設定ボタン３２０５、Ｓｃａｎ Ｓｅｔｔｉｎｇボタン３２１５を有する。リセットを含む初期化時には、図７に示すように、宛先表示領域には１つの宛先も表示されず、操作説明画面が表示される。
【００５１】
宛先表示領域３２０２には、入力された宛先の一覧が表示される。入力は順次末尾に追加される。宛先表示領域からある宛先を選択した後、Ｄｅｌｅｔｅボタン３２１１を選択すると、選択されていた宛先が削除される。また、送信設定ボタンを押すと、Ｓｕｂｊｅｃｔ入力、Ｍｅｓｓａｇｅ入力、Ｆｉｌｅ Ｎａｍｅ入力画面を表示する。アドレスブックボタン３２０８を選択するとアドレスブックサブ画面が表示され、登録している送信宛先を選択することができる。送信方法（電子メール、ファクス、Ｉファクス、ファイル、ＢＯＸ）に対応した送信方法選択ボタン３２７１〜３２７５を選択すると詳細サブ画面が表示され、新しい宛先の設定が可能になる。Ｓｃａｎ Ｓｅｔｔｉｎｇボタン３２１５を選択すると、Ｓｃａｎ Ｓｅｔｔｉｎｇサブ画面が表示され、予め設定された解像度、スキャンモード、濃度が表示され選択することができる。尚、これらの値は、手動で変えることも可能である。
【００５２】
［ＢＯＸ画面］
図８は、ＢＯＸ画面の一例を示す図である。ＢＯＸ画面では、スキャナから読み取った画像データを指定したＢＯＸに格納したり、ＢＯＸに蓄積された文章のプリント、送信設定を行う。
【００５３】
ＢＯＸメイン画面３３００には、ＢＯＸ選択ボタン３３１０〜３３１６、ＢＯＸスクロールボタン３３０２、３３０３、システムＢＯＸボタン３３０４、ＦＡＸＢＯＸボタン３３０５、メモリ残量表示領域３３０６、ＢＯＸ名称表示領域３３０７を有する。ＢＯＸ選択ボタン３３１０〜３３１６を選択すると、ユーザＢＯＸサブ画面３３２０が表示される。ＢＯＸスクロールボタン３３０２、３３０３を選択すると、表示されるＢＯＸ番号がスクロールする。システムＢＯＸボタン３３０４を選択すると、システムＢＯＸサブ画面３３２０が表示され、通信機能で受信した文章の一覧を表示する。図９は、ユーザＢＯＸサブ画面３３２０の一例を示す図である。
【００５４】
ＦＡＸＢＯＸボタン３３０５を選択すると、ＦＡＸＢＯＸサブ画面が表示される。ＦＡＸＢＯＸには、ＦＡＸ受信した文章が保存され、ＦＡＸＢＯＸサブ画面に表示されるＢＯＸ選択ボタンを選択すると、保存された文章一覧が表示される。メモリ残量表示領域３３０６には、ハードディスクドライブ１３２に確保された文章保存領域の空き容量が表示される。ＢＯＸ名称表示領域３３０７には、各ＢＯＸ番号に設定された名称を表示する。
【００５５】
ユーザＢＯＸサブ画面３３２０は、ＢＯＸ文章表示領域３３２１、表示スクロールボタン３３２２、３３２３、選択ボタン３３２４、画像表示ボタン３３２５、移動複製ボタン３３２６、詳細表示ボタン３３２７を有する。ユーザＢＯＸサブ画面３３２０は、さらに、消去ボタン３３２８、プリントボタン３３２９、原稿読み込みボタン３３３０、送信ボタン３３３１、閉じるボタン３３３２から構成される。
【００５６】
ＢＯＸ文章表示領域３３２１には、格納された文章一覧が表示され、文章を選択すると左側にチェック印が表示される。表示スクロールボタン３３２２、３３２３を選択すると表示文章がスクロールする。選択ボタン３３２４は、文章を選択していない場合は全選択、文章を選択している場合は選択解除の機能を果たす。画像表示ボタン３３２５を選択すると、現在選択されている文章を画面上に表示する。移動複製ボタン３３２６を選択するとサブ画面が表示され、選択した文章を他のＢＯＸに移動・複製することができる。詳細表示ボタン３３２７を選択すると、現在選択されている文章の詳細な設定が表示される。
【００５７】
消去ボタン３３２８を選択すると、選択されている文章をＢＯＸから消去する。プリントボタン３３２９を選択すると、プリントサブ画面が表示され、選択した文章を印刷することができる。原稿読み込みボタン３３３０を選択すると、原稿読み込みサブ画面が表示され、原稿読み取りのための設定を行うことが可能である。原稿読み取りサブ画面が表示されているときに、スタートキー３００２を押下すると、スキャナから原稿を読み込みＢＯＸに格納することができる。送信ボタン３３３１を選択すると、送信サブ画面が表示され、選択した文章を指定した宛先に送信することができる。閉じるボタン３３３２を選択すると、ＢＯＸメイン画面３３００に戻る。
【００５８】
［ヘルプ画面］
図１０は、ヘルプ画面の一例を示す図である。ハードキー群３００６に割り当てられているヘルプキーを押下すると図１０に示すヘルプメニュー画面に遷移する。ヘルプメニュー画面内には各機能毎にヘルプ内容を表示をするためのキーが配置されており、ＣＯＰＹ７０１、ＳＥＮＤ７０２、ＦＡＸ７０３、ＢＯＸ７０４、マニュアル印刷７０５のキーが配置されている。図１０は、ＣＯＰＹ７０１が選択された状態が示されており、コピーに関するヘルプ項目がリスト表示領域７０６に順に表示される。そして、項目が表示されている箇所を押下するとその項目に関係するヘルプ内容を表示する。
【００５９】
例えば、図１０に示す画面において、「両面」項目７１０を押下した場合、図１１に示すヘルプ内容を表示する画面に遷移し、ヘルプ内容表示領域８０１に「両面にコピーする」のヘルプ内容が表示される。図１１は、ヘルプ内容を表示する画面の一例を示す図である。このヘルプ内容を表示するためのデータは、ビットマップデータで構成されており、プログラム内に表示用のデータとして保持されている。
【００６０】
＜マニュアル用データの構造＞
図１２は、ハードディスク１３２内におけるデータ種別毎の保存場所を表した模式図である。図１２に示すように、ハードディスク１３２では、プログラム保存領域、画像保存領域、管理用領域、マニュアルデータ領域とその他に分けてデータを管理している。プログラム保存領域には、制御装置１１０全体の動作を制御するためのプログラムが保存されており、制御装置１１０の立ち上がり時にメモリ１２１内に複製される。画像保存領域は、ボックス機能で保存するための画像データや、コピー、ＰＤＬ機能等で使用する画像データをテンポラリとして一時保存するための領域である。管理領域は、各機能で制御用に使用するためのデータやログデータを保存する領域である。
【００６１】
マニュアルデータ領域は、各機能のマニュアルを保存する領域であり、各機能毎に構成されたディレクトリ内に保管されている。ＣＯＰＹ機能に関するマニュアルはディレクトリＣＯＰＹ内に、ＳＥＮＤ機能に関するマニュアルはディレクトリＳＥＮＤ内に保管されている。各ディレクトリには、マニュアルの印刷に使用するためのＰＤＦファイルと、ＰＤＦファイル内の章、ページ、ヘルプ画面の画面ＩＤとを対応づけするためのデータが記述されている管理用ファイルが保存されている。ＰＤＦファイルは、操作部１８０にマニュアルの内容を表示する際にも使用する。図１２において、ＰＤＦファイルは、Ｍ−ＣＯＰＹ、Ｍ−ＳＥＮＤ、Ｍ−ＦＡＸで、管理用のファイルがＰ−ＣＯＰＹ、Ｐ−ＳＥＮＤ、Ｐ−ＦＡＸとして表している。尚、マニュアルデータ領域には、同様な構成で、ＢＯＸ、Ｎｅｔｗｏｒｋ、ＰＤＬについてのマニュアルが保存されている。
【００６２】
管理用データの中は、各機能のマニュアル毎に、章とその章が何ページ目に記載されているかを表すページ数、章内の項目とその項目が何ページ目に記載されているかを表すページ数が表示されている。また、図１０及び図１１で説明したヘルプメニューの項目についてＩＤ付けがされており、各ヘルプ画面ＩＤに対応してそのヘルプ内容は、ＰＤＦマニュアルの何章の何項目めから始まるのかが対応づけられている。
【００６３】
図１３は、管理用データ内のデータ構造を模式的に表した図である。図１３では、ＣＯＰＹ機能については、第１章は１ページ、第１章の２（１−２）は５ページから、ＳＥＮＤ機能については、第２章の２（２−２）は１７ページから記載されていることを表している。
【００６４】
また、図１０のヘルプ項目の「両面」７１０はヘルプ画面ＩＤがＣ０００８であり、このヘルプ項目に対応するＰＤＦファイルは、ＣＯＰＹの第２章の３（２−３）であり、１２ページ目に記載されていることを表している。また同様に、ヘルプ項目の「表紙」については、ヘルプ画面ＩＤがＣ００１０であり、このヘルプ項目に対応するＰＤＦファイルは、ＣＯＰＹの第３章の１（３−１）であり、１４ページ目に記載されていることを表している。
【００６５】
ＳＥＮＤ機能、ＢＯＸ機能、Ｎｅｔｗｏｒｋ機能、ＰＤＬ機能、設定についても、同様な構造で管理データファイルが記述されている。
【００６６】
該当する章や項目について、何ページにわたって記述されているかは、印刷するときの情報として必要となるが、次の章のページ数、次の項目のページ数から判断してもよいし、あらかじめ、管理用データファイルの中に記述するようにしても構わない。
【００６７】
管理用のファイルは、ＰＤＦファイルと対応づけられており、予め外部で作成したものがハードディスク１３７に保存されている。但し、予めＰＤＦファイルに章とページの関係を埋め込んでおき、ＰＤＦファイルの使用時に、或いは電源立ち上げ時に、ＰＤＦファイルに埋め込まれた情報から、管理用ファイルに記載されているデータ相当のものを、抽出する構成にしても構わない。
【００６８】
＜マニュアル印刷＞
図１０に示す画面のマニュアル印刷キー７０５を押下すると、図１４に示すマニュアルのリストを表示する画面に遷移する。図１４は、マニュアルリストを表示する画面の一例を示す図である。図１４では、リスト領域７０６に上から、ＣＯＰＹ、ＳＥＮＤ、ＦＡＸ、ＢＯＸ、Ｎｅｔｗｏｒｋ、ＰＤＬ機能についてのマニュアルのタイトルが表示されている。
【００６９】
そして、図１４において、項目が表示されている箇所を押下するとその項目に関係する機能のマニュアルの章を表示する画面に遷移する。例えば、図１４では、「ＣＯＰＹ」項目９０１を押下した場合、図１５のＣＯＰＹ機能マニュアルの章を表示する画面に遷移する。図１５は、ＣＯＰＹ機能マニュアルの章を表示する画面の一例を示す図である。図１４において、全部印刷キー１００２は、ＣＯＰＹ機能マニュアルの全てのページを印刷する指示を行うために使用する。章印刷キー１００３は、選択した章を印刷する指示を行うために使用する。例えば、図１５の「第２章  基本的なコピー」１００１の領域を選択して、印刷キー１００３を押下すると、コピー機能マニュアルの第２章だけを印刷する指示を行う。また、複数の章を選択することも可能である。
【００７０】
詳細キー１００４は、選択された項目について、さらに詳細に内容を表示するときに使用する。例えば、図１５の「第２章  基本的なコピー」１００１の領域を選択して、詳細キー１００４押下すると、図１６に示した第２章に関するさらに詳細な項目を表示する画面に遷移する。図１６は、第２章に関するさらに詳細な項目を表示する画面の一例を示す図である。図１６の項目印刷キー１１０３は、項目リスト表示領域１１０１で選択されている項目について印刷する指示を行うためのキーである。例えば図１６で、「２−３  両面にコピーする」１１０３を選択して、項目印刷キー１１０２を押下すると、コピーマニュアルの第２章の２−３に関するページだけを印刷する指示を行う。
【００７１】
表示キー１１０４は、項目リスト表示領域１１０１で選択されている項目について、さらに詳しく表示するためのキーである。表示キー１１０４を押下すると、選択されている機能に対応するマニュアルファイルを指定して、ＰＤＦファイルビューワが立ち上がり、選択されてた項目について記載されている部分を表示する。例えば図１６で、「２−３  両面にコピーする」１１０３を選択して、表示キー１１０４を押下した場合を考える。この場合、図１３で説明したコピーに関する管理ファイルＰ−ＣＯＰＹを参照する。そして、コピーの章２−３に対しては、１２ページ目から記述されているので、コピーに対応するマニュアルファイルＭ−ＣＯＰＹの１２ページ目を表示するように、ＰＤＦファイルを表示する。
【００７２】
図１７は、ＰＤＦファイルビューワ１２０１によるマニュアルを表示した例を示す図である。図１７において、マニュアルの内容は、マニュアル表示領域１２０１に表示される。印刷キー１２０３は、表示されているページの内容について印刷指示を行うためのキーである。拡大キー１２０４は表示されているページについて拡大表示の指示を行うためのキーである。縮小キー１２０５は表示されているページについて縮小表示の指示を行うためのキーである。戻るキー１２０６を押下すると、ＰＤＦファイルビューワを終了し、前の画面に戻る。
【００７３】
図１５の全部印刷１００２キー、章印刷キー１００３、図１６の項目印刷キー１１０３、図１７の項目印刷キー１２０３キーを押下して印刷指示を行うと、図１８に示す印刷詳細設定を指定する画面に遷移する。図１８は、印刷詳細設定を指定する画面の一例を示す図である。当該画面においては、用紙設定、両面、表紙、仕上げ、部数、レイアウト（Ｎ ｉｎ １）の指定等、印刷に関する設定を行うことが可能となっている。印刷開始キー１３０２を押下すると、指定された設定で印刷を行う。
【００７４】
次に、マニュアル印刷の手順について説明する。図１９は、マニュアル印刷手順を説明するためのフローチャートである。
【００７５】
まず、マニュアル印刷指示は、図１５に示したマニュアルの章を表示して選択する画面において全部印刷キー１００２、章印刷きー１００３のいずれかが押下されたときに行われる。また、マニュアル印刷指示は、図１６に示した章に関する詳細な項目を表示して選択する画面において項目印刷キー１１０３が押下されたときや、図１７に示すマニュアルを表示する画面において項目印刷キー１２０３が押下されたときにも行われる。
【００７６】
マニュアル印刷指示が行われると、ＣＯＰＹ、ＳＥＮＤ、ＦＡＸ、ＢＯＸ、Ｎｅｔｗｏｒｋ、ＰＤＬの中で、どの機能についてマニュアル印刷指示が行われたかを判断し、判断した機能に対応するＰＤＦファイルのファイル名を獲得する（ステップＳ１９０１）。次に、印刷タイプを判断し、全部印刷、章印刷、項目印刷のどれが指定されたかを判断する（ステップＳ１９０２）。次に、印刷ページ範囲を決定し、ステップＳ１９０２で全部印刷が指定されたと判断されているときは、全てのページと判断する（ステップＳ１９０３）。ステップＳ１９０２で全部印刷以外、すなわち、章印刷か項目印刷かが指定されたときには、ステップＳ１９０１で判断した機能に対応する、図１２で説明した管理データファイルを参照して、印刷ページ範囲を求める。次に、図１８で説明した印刷詳細画面で設定されている項目に基づいて、各種印刷モードの中から印刷時のモードの設定を行う（ステップＳ１９０４）。次に、ファイル名と印刷ページ範囲、印刷モードの設定に基づいて印刷開始を行う（ステップＳ１９０５）。
【００７７】
＜その他の実施形態＞
上述した実施形態では、マニュアル用の印刷ファイルを装置内のハードディスク１３２内に予め保存した構成にしたが、その他の構成をとることも可能である。例えば、印刷用ファイルをＬＡＮ４００上のサーバ内に保存しておき、必要に応じて（例えば、マニュアル印刷キー７０５を押下したタイミングで）、制御装置１１０にダウンロードして、ハードディスク１３２内に保存する構成しても構わない。この場合、ハードディスク１３２内のマニュアルデータ領域に上記実施形態で説明した構造となるように、データを保存すればよい。
【００７８】
また、上述した実施形態では、ＣＯＰＹ、ＳＥＮＤ、ＦＡＸ、ＢＯＸ、ＰＤＬ、Ｎｅｔｗｏｒｋについてマニュアルデータを持つ構成にしたが、他の機能についても同様に適用できることは言うまでもない。
【００７９】
さらに、上述した実施形態では、マニュアル印刷キーを押下した後に遷移する画面からのみ、マニュアル印刷の指示が行えたが、これだけに限られない。例えば、図２０に示すように、ヘルプ表示画面からマニュアル印刷指示を行えるようにして（マニュアル印刷キー２００１）、表示されたヘルプ内容に対応づけられた印刷用ファイルを印刷できるようにすることも可能である。すなわち、図２０は、ヘルプ表示画面（操作機能の説明画面）からマニュアル印刷指示を行うための画面例を示す図である。
【００８０】
上述した実施形態で説明した図１３による管理用データファイルには、ヘルプ表示画面で表示している画面のヘルプ画面ＩＤと、印刷用ファイルの章とページ数が対応づけられて管理されている。したがって、ヘルプ表示画面からの印刷指示があったときに、ヘルプ画面ＩＤにより管理データファイルから、印刷用ファイルの印刷ページを求めて、該当する印刷ファイルの印刷を行えばよい。
【００８１】
同様に管理用データファイルにより、ヘルプ画面で表示している項目は、印刷ファイル上で第何章に記述されているかを判断することが可能であり、ヘルプ画面で表示している項目が記載されている、印刷用ファイルの章を指定して印刷することが可能となる。この場合、マニュアル印刷キー２００１を押下した後に、項目のみを印刷するか、関連する章を印刷するかを選択させるようにして、選択結果によって上記処理を行えばよい。
【００８２】
上述した実施形態によれば、ユーザが装置の前で必要なマニュアルを選択し、印刷物としてマニュアルを得ることができるようになる。また、ユーザが装置の前で、必要なマニュアルの中から必要な部分、例えば、ある機能に関する説明がされている章や、機能に関する説明がされているページのみを選択して、印刷物としてマニュアルを得ることができるようになる。このように、ユーザが必要に応じて、マニュアルの印刷する範囲を選択して印刷物を得ることが可能になるので、利便性が向上する。
【００８３】
また、ヘルプ表示画面で印刷指示を行うだけで、ヘルプ画面に表示されているヘルプ内容に対応する、印刷用マニュアルファイル上での説明部分や、その説明がされている章の印刷物を得ることが可能になる。すなわち、印刷ファイル上で必要な項目を検索しなくても、ヘルプ表示の画面から関連するマニュアルを印刷することが可能になり、操作性が向上する。
【００８４】
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００８５】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００８６】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８７】
その場合、プログラムの機能を有していれば、オブジェクトコード、インタプリタにより実行されるプログラム、ＯＳに供給するスクリプトデータ等の形態であっても良い。
【００８８】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）。
【００８９】
その他、プログラムの供給方法としては、クライアントコンピュータのブラウザを用いてインターネットのホームページからハードディスク等の記録媒体にダウンロードすることによっても供給できる。すなわち、ホームページに接続し、該ホームページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９０】
また、本発明のプログラムを暗号化してＣＤ−ＲＯＭ等の記憶媒体に格納してユーザに配布する。そして、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００９１】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【００９２】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【００９３】
【図１】本発明の一実施形態に係る画像入出力システムの全体構成を示すブロック図である。
【図２】画像入出力システムにおけるリーダー部２００とプリンタ部３００の構成を示す断面図である。
【図３】画像入出力システム１００の制御装置１１０の機能を説明するためのブロック図である。
【図４】操作部１８０の全体構成を示す概観図である。
【図５】ＣＯＰＹ画面の一例を示す図である。
【図６】ＣＯＰＹ画面の別の例を示す図である。
【図７】ＳＥＮＤ画面の一例を示す図である。
【図８】ＢＯＸ画面の一例を示す図である。
【図９】ユーザＢＯＸサブ画面３３２０の一例を示す図である。
【図１０】ヘルプ画面の一例を示す図である。
【図１１】ヘルプ内容を表示する画面の一例を示す図である。
【図１２】ハードディスク１３２内におけるデータ種別毎の保存場所を表した模式図である。
【図１３】管理用データ内のデータ構造を模式的に表した図である。
【図１４】マニュアルリストを表示する画面の一例を示す図である。
【図１５】ＣＯＰＹ機能マニュアルの章を表示する画面の一例を示す図である。
【図１６】第２章に関するさらに詳細な項目を表示する画面の一例を示す図である。
【図１７】ＰＤＦファイルビューワ１２０１によるマニュアルを表示した例を示す図である。
【図１８】印刷詳細設定を指定する画面の一例を示す図である。当
【図１９】マニュアル印刷手順を説明するためのフローチャートである。
【図２０】ヘルプ表示画面からマニュアル印刷指示を行うための画面例を示す図である。
【図１】
2007122279.tif 000003
【図２】
2007122279.tif 000004
【図３】
2007122279.tif 000005
【図４】
2007122279.tif 000006
【図５】
2007122279.tif 000007
【図６】
2007122279.tif 000008
【図７】
2007122279.tif 000009
【図８】
2007122279.tif 000010
【図９】
2007122279.tif 000011
【図１０】
2007122279.tif 000012
【図１１】
2007122279.tif 000013
【図１２】
2007122279.tif 000014
【図１３】
2007122279.tif 000015
【図１４】
2007122279.tif 000016
【図１５】
2007122279.tif 000017
【図１６】
2007122279.tif 000018
【図１７】
2007122279.tif 000019
【図１８】
2007122279.tif 000020
【図１９】
2007122279.tif 000021
【図２０】
2007122279.tif 000022